(57)【要約】【課題】パチンコ玉リサイクル装置において、揚上研磨機の設置位置が補給タンクに対してある程度ずれたとしても、設置し直しや設置位置の微調整を必要とせずに、補給タンクへの取付けが可能な玉零れ防止装置を提供する。【解決手段】補給タンクの挿入口の下側に、揚上研磨機の排出口を左右方向の遊びをもって嵌合し得る上方開口凹部と、左右両側の縦長孔とを有する下部プレートを高さ調整可能に固定し、前記補給タンクの挿入口の上側に、下方開口凹部を有する上部プレートを、前記下方開口凹部において前記排出口にその排出口との間に隙間を生じさせずに嵌合して、その上部プレートの下部により前記下部プレートの上方開口凹部の幅と前記排出口の幅の差により生じる隙間を塞ぐようにした。【選択図】　　　図４
2004073745.tif 000002
【特許請求の範囲】
【請求項１】
パチンコ遊技島の各遊技機から外れ玉として排除されるパチンコ玉を回収樋を介して回収タンクに回収し、その回収されたパチンコ玉を揚上研磨機により揚上しながら研磨するとともに、補給タンクに設けた挿入口に挿入された前記揚上研磨機の排出口から排出して前記補給タンクに一旦収容し、その補給タンクから補給樋を介して各遊技機に補給するパチンコ玉リサイクル装置において、
前記揚上研磨機の排出口の下部を左右方向の遊びをもって嵌合し得る上方開口凹部を有し、前記補給タンクの挿入口の下側に高さ調整可能に固定される下部プレートと、
前記排出口にその上側から前記排出口との間に隙間を生じさせずに前記下部プレートに近接して嵌合し得る下方開口凹部を有し、かつ、その排出口に嵌合した状態で前記下部プレートの上方開口凹部の幅と前記排出口の幅の差により生じる隙間を塞ぐ上部プレートと、
からなる玉零れ防止装置を備えたパチンコ玉リサイクル装置。
【発明の詳細な説明】
【０００１】
【発明の属する技術分野】
本発明は、パチンコ遊技島におけるパチンコ玉リサイクル装置に関する。
【０００２】
【従来の技術】
一般に、パチンコ遊技島においては、各遊技機から外れ玉として排除されるパチンコ玉を回収樋を介して下位に設けた回収タンクに回収し、その回収されたパチンコ玉を揚上研磨機により揚上しながら研磨して上位に設けた補給タンクに排出して一旦収容し、その補給タンクから補給樋を介して各遊技機に補給するパチンコ玉リサイクル装置が用いられている。このようなパチンコ玉リサイクル装置は、例えば特開平７−１５５４５４号公報に開示されている。
【０００３】
揚上研磨機はその上端部に設けられた排出口を補給タンクに形成されている挿入口に挿入した状態で設置されるが、（ａ）揚上研磨機の設置床面が完全な水平でない、（ｂ）揚上研磨機のフレームが完全な垂直でない、（ｃ）揚上研磨機のの搬送ベルトの蛇行矯正のために、フレームが上下に二分割され、上部フレームが下端支点を中心に回動可能に取付けられている、などの理由から、揚上研磨機の排出口の中心と補給タンクの挿入口の中心が常に合致するとは限らない。合致しなくとも、排出口の挿入口への嵌合取付けを可能にするため、挿入口の寸法が排出口よりもやや大きめに形成されている。従って、揚上研磨機を設置した時に、排出口と挿入口との間からパチンコ玉が零れることを防止するため、従来、玉零れ防止プレートを補給タンクに取付けている。
【０００４】
【発明が解決しようとする課題】
しかし、従来の玉零れ防止プレートは、揚上研磨機の排出口を隙間なく嵌合し得る上方開口凹部を中央に有する凹字形の板状に形成され、その左右両側に設けられた縦長孔に貫通したボルトを補給タンクのねじ孔にねじ込むことにより取付けられるものであった。
従って、従来の玉零れ防止プレートは、取付位置調整が縦方向にのみ可能なものであるので、揚上研磨機の排出口と補給タンクの挿入口が縦方向以外の方向において整合しない場合は、玉零れ防止プレートの取付けが不可能となるため、揚上研磨機を設置し直すか、設置位置の微調整が必要となる場合があり、非常に面倒であった。
【０００５】
本発明は、上記の点に着目してなされたものであり、揚上研磨機の設置位置が補給タンクに対してある程度ずれたとしても、設置し直しや設置位置の微調整を必要とせずに、補給タンクへの取付けが可能な玉零れ防止装置を備えたパチンコ玉リサイクル装置を提供することを目的とする。
【０００６】
【課題を解決するための手段】
上記目的を達成するため、本発明は、パチンコ遊技島の各遊技機から外れ玉として排除されるパチンコ玉を回収樋を介して回収タンクに回収し、その回収されたパチンコ玉を揚上研磨機により揚上しながら研磨するとともに、補給タンクに設けた挿入口に挿入された前記揚上研磨機の排出口から排出して前記補給タンクに一旦収容し、その補給タンクから補給樋を介して各遊技機に補給するパチンコ玉リサイクル装置において、前記揚上研磨機の排出口の下部を左右方向の遊びをもって嵌合し得る上方開口凹部を有し、前記補給タンクの挿入口の下側に高さ調整可能に固定される下部プレートと、前記排出口にその上側から前記排出口との間に隙間を生じさせずに前記下部プレートに近接して嵌合し得る下方開口凹部を有し、かつ、その排出口に嵌合した状態で前記下部プレートの上方開口凹部の幅と前記排出口の幅の差により生じる隙間を塞ぐ上部プレートとからなる玉零れ防止装置を備えたを特徴としている。
上記構成により、下部プレートはボルトの緩め・締付けにより取付位置の縦方向の調整をして、その上方開口凹部に排出口の下部を嵌合可能である。また、上部プレートは、単に排出口にその間に隙間を生じさせずに嵌合しているだけであるので、揚上研磨機の設置位置に応じて任意の方向に移動可能である。上部プレートの上部プレートに対する相対位置が変わっても、下部プレートの凹部の幅と排出口の幅の差により生じる隙間は上部プレートの下部により遮閉されるので、パチンコ玉の確実な零れ防止効果が得られる。
【０００７】
【発明の実施の形態】
次に、本発明の実施の形態について、添付図面を参照して説明する。
図１は本発明に係るパチンコ玉リサイクル装置の要部の正面図、図２は同じく側面図、図３は図２のＸ−Ｘ線断面図、図４は本発明の要部に係る玉零れ防止装置、揚上研磨機の排出口及び補給タンクの挿入口を示す分解斜視図である。
【０００８】
図１，２において、１０は揚上研磨機であり、フレーム１１の下部に設けられた駆動プーリ１２とフレーム１１の上部に設けられた従動プーリ１３の間に中間の補助プーリ１３´及びテンションプーリ１４ａ〜１４ｃを介して搬送ベルト１５を巻回して張設し、駆動プーリ１２の軸上に固着したプーリ１６と、フレーム１１の下部に設けられたモータ１７の回転軸上に固着したプーリ１８の間に伝動ベルト１９を巻回して、駆動プーリ１２に回転力を与えるための駆動手段を備え、フレーム１１の正面側、すなわち、搬送ベルト１５の上昇面側に研磨布（不図示）を保持し、かつ、その研磨布にパチンコ玉を一列ずつ案内するための溝を形成するガイドレール（不図示）を取付けた扉１１１を開閉自在に取付けて構成されている。
【０００９】
揚上研磨機１０の下部には、回収タンク２０が設けられている。この回収タンクには、各遊戯機から排出される外れ玉が回収樋（不図示）を介して流れて来て回収されるようになっていて、回収されたパチンコ玉は、その回収タンクから揚上研磨機１０の回転される搬送ベルト５の下端部と研磨布の間に流れ込んで、揚上されるようになっている。
【００１０】
また、揚上研磨機１０の上部には、研磨されながら揚上されたパチンコ玉を回転される搬送ベルトの上端部と研磨布との間から排出させる排出口１１２が設けられている。この排出口１１２は、その一部がパチンコ島の上位に設けられた補給タンク３０の中に挿入されて、排出口１１２から排出されるパチンコ玉がその補給タンク１３に収容される。
【００１１】
補給タンク３０は、排出口１１２から排出されるパチンコ玉を島の左右方向に分配する山形の分配板３１を有し、かつ、その分配されたパチンコ玉を一次貯留するための貯留部３２を有し、各貯留部３２は、パチンコ島の上方を左右の遊技機列に沿ってパチンコ玉を流すための補給樋３３の上流端に接続されている。また、補給タンク３３は、各貯留部３２から溢れるパチンコ玉を受入れる落下口３４を有し、その落下口と島の下位に設けられた予備タンク（不図示）又は回収タンク２０との間は、短絡管３５により連結されていて、補給タンク３０から溢れるパチンコ玉は、その短絡管３５を経て回収タンク２０に回収されるようになっている。
【００１２】
補給タンク３０の揚上研磨機１０の排出口１１２を挿入するための挿入口３６は、図３及び図４に示すように、凹字形に形成されて上方に開口されている。そして、その挿入口３６の幅寸法Ｗ１は、排出口１１２の幅寸法Ｗ２よりも若干大きくされている。以上までの構成は、従来のパチンコ玉リサイクル装置における補給タンクと揚上研磨機の構成と異ならない。
【００１３】
図３及び図４において、Ａ及びＢは、本発明によるパチンコ玉零れ防止装置を構成する下部プレートと、上部プレートである。
下部プレートＡは、図４に良く示されているように、上部中央に上方開口凹部１を有する板状に形成されている。凹部１は、これに揚上研磨機１０の排出口１１２を嵌合するためのものであり、その凹部の幅寸法Ｗ３は、挿入口３６の幅寸法Ｗ１と等しくされている。また、下部プレートＡには、その左右両側に、補給タンクの挿入口の左右両側に設けられたねじ孔３７の間隔と等しい間隔をもって縦長孔２が形成されていて、その縦長孔に貫通したねじ３をねじ孔３７にねじ込むことにより、この下部プレートＡを補給タンク３０の挿入口３６の下側に、縦方向の位置調整可能に取付けられている。
【００１４】
従って、揚上研磨機１０を所定位置に設置する場合は、下部プレートＡを縦長孔２が許す範囲で最も低い位置に保持して置き、排出口１１２を補給タンク３０の挿入口３６に挿入するとともに、下部プレートＡを縦長孔２に沿って上方に移動し、排出口１１２を凹部１に嵌合して、排出口１１２の底面を凹部１の底辺に当接させることができる。しかし、この段階では、排出口１１２の側面と凹部１の側辺との間には、大きさ不定の隙間が発生する。この隙間の発生態様は、揚上研磨機１０の補給タンク３０に対する設置位置のずれの方向及び程度により異なる。
【００１５】
他方、上部プレートＢは、図４に良く示されているように、輪郭形状が補給タンク３０の挿入口３６よりも大きく、かつ、中央に下方開口凹部４を有する板状に形成されていて、凹部４の幅寸法Ｗ４は、排出口１１２の幅寸法Ｗ２とほぼ等しくされている。これにより、凹部４に排出口１１２を嵌合することにより、上部プレートＢは、その間に隙間を生じさせずに排出口１１２に装着することができる。そして、装着された状態では、上部プレートＢは、排出口の底辺を除く周辺にフランジ状に存在し、挿入口３６の周辺を塞ぐ作用をする。
【００１６】
また、凹部４の深さ寸法Ｈ１、すなわち凹部４の上辺から上部プレートＢの下辺までの距離は、排出口１１２の高さＨ２とほぼ等しくされている。従って、上部プレートＢを排出口１１２に装着した時は、上部プレートＢの下辺が下部プレートＡの凹部１の底辺と同じ高さに存在するので、下部プレートＡと上部プレートＢが近接して備えられた時は、下部プレートＡと排出口１１２の側面に生じていた隙間が上部プレートＢの下部により塞がれることとなり、パタンコ玉零れが確実に防止される。
【００１７】
下部プレートＡと上部プレートＢが近接して備えられる場合には、（イ）両プレートＡ，Ｂがともに補給タンク３０の正面壁３８の外側に設置される場合、（ロ）両プレートＡ，Ｂがともに補給タンク３０の正面壁３８の内側に設置される場合、（ハ）プレートＡ，Ｂの一方が補給タンク３０の正面壁３８の内側に、他方が外側に設置される場合などがある。下部プレートＡを正面壁３８の内側に設ける場合は、縦長孔２は正面壁３８に、ねじ孔３７は下部プレートＡに設けることが好ましい。このように、下部プレートＡを補給タンク３０に対して縦方向位置調整可能に取付ける構造は、特に制限されない。
【００１８】
上記の実施の形態においては、下部プレートＡが上下方向に移動可能であるので、排出口と挿入口３６との位置が合致しなくとも、下部プレートＡを排出口１１２の設置高さに応じて適当に移動して、排出口の底辺と挿入口３６の底辺との間の隙間が塞がれる。また、下部プレートＡの凹部の幅寸法が排出口の幅寸法よりも大きくしてあるので、排出口１１２の挿入口３６に対する横方向のずれにも対応できる。そして、上部プレートＢは、排出口に鞍座して装着されるので、排出口の取付位置の縦方向以外の方向のずれに容易に対応することができ、しかも、排出口の側辺と挿入口の側辺との間に生じる隙間を塞ぐ。さらに、上部プレートは凹部の深さが排出口の高さと等しいので、装着された上部プレートの下辺が下部プレートの凹部の底辺に当接するため、下部プレートの凹部の両側に生じる隙間も塞がれる。
【００１９】
【発明の効果】
上述のように、本発明によれば、揚上研磨機の設置位置が補給タンクに対してある程度ずれたとしても、設置し直しや設置位置の微調整を必要とせずに、補給タンクへの取付けが可能な玉零れ防止装置を提供でき、その玉零れ防止装置を取り付けた場合は、補給タンクからの玉零れが確実に防止される。
【図面の簡単な説明】
【図１】本発明に係るパチンコ玉リサイクル装置の要部の正面図。
【図２】同じく側面図。
【図３】図２のＸ−Ｘ線断面図。
【図４】本発明の要部に係る玉零れ防止装置、揚上研磨機の排出口及び補給タンクの挿入口を示す分解斜視図。
【符号の説明】
１０　　　揚上研磨機
１１２　　排出口
２０　　　回収タンク
３０　　　補給タンク
３６　　　挿入口
Ａ，Ｂ　　玉零れ防止装置
Ａ　　　　下部プレート
１　　　　上方開口凹部
Ｂ　　　　上部プレート
４　　　　下方開口凹部
【図１】
2004073745.tif 000003
【図２】
2004073745.tif 000004
【図３】
2004073745.tif 000005
【図４】
2004073745.tif 000006